(57)【特許請求の範囲】
【請求項１】
光スポットの案内溝に埋め込まれている位置情報を読み出して得られる同期信号のパターンが第１のパターンとされた記録可能な光ディスクよりも記録密度の高い光ディスクにおいて、
前記光スポットの案内溝に埋め込まれている位置情報を読み出して得られる同期信号のパターンに前記第１のパターンと該第１のパターンとは異なる第２のパターンを設けて、該第２のパターンで連続する複数フレームの期間を識別可能とし、該複数フレームの期間で１つの位置情報を示すものとした
ことを特徴とする光ディスク。
【請求項２】
前記同期信号のパターンは、前記位置情報を読み出して得られる信号の最小チャネルビットを「Ｔ」としたときに、「３Ｔ」以上のパターンを有する
ことを特徴とする請求項１記載の光ディスク。
【請求項３】
前記同期信号のパターンは、ＤＳＶ値が「０」となるように設定した
ことを特徴とする請求項２記載の光ディスク。
【請求項４】
前記第２のパターンは、「３Ｔ＋３Ｔ＋１Ｔ＋１Ｔ」、「１Ｔ＋３Ｔ＋３Ｔ＋１Ｔ」、「１Ｔ＋１Ｔ＋３Ｔ＋３Ｔ」、「４Ｔ＋４Ｔ」のいずれかのパターンとした
ことを特徴とする請求項３記載の光ディスク。
【請求項５】
光スポットの案内溝に位置情報が埋め込まれていると共に、該位置情報を読み出すことで同期信号が得られる記録可能な光ディスクを用いる光ディスク装置において、
前記位置情報を読み出す位置情報読出手段と、
前記位置情報読出手段で得られた信号から光スポットの照射位置を判別する位置判別手段と、
前記位置情報読出手段で得られた信号の同期パターンを判別して、光ディスクの識別を行う識別手段とを有し、
前記識別手段は、前記同期信号のパターンが第１のパターンであるとき、所定の記録密度の光ディスクと判別とし、前記同期信号のパターンが前記第１のパターンと該第１のパターンとは異なる第２のパターンで構成されているとき、前記所定の記録密度の光ディスクよりも記録密度の高い光ディスクと判別し、
前記位置判別手段は、前記複数フレームの期間で示される１つの位置情報に基づいて、前記記録密度の高い光ディスクにおける前記光スポットの照射位置を判別する
ことを特徴とする光ディスク装置。
【請求項６】
前記識別手段では、同期パターンが「３Ｔ＋３Ｔ＋１Ｔ＋１Ｔ」、「１Ｔ＋３Ｔ＋３Ｔ＋１Ｔ」、「１Ｔ＋１Ｔ＋３Ｔ＋３Ｔ」、「４Ｔ＋４Ｔ」のいずれかのパターンであるとき、第２のパターンと判別する
ことを特徴とする請求項７記載の光ディスク装置。
【発明の詳細な説明】
【０００１】
【発明の属する技術分野】
この発明は、光ディスク及び光ディスク装置に関する。詳しくは、光スポットの案内溝に埋め込まれた位置情報を読み出して得られる信号の同期パターンをフォーマットおよび／または記録方式の異なる光ディスク間で異なるように設定し、光ディスク装置では、この同期パターンを判別して光ディスクが例えば標準密度の光ディスクであるか高密度光ディスクであるかを容易に判別可能とするものである。
【０００２】
【従来の技術】
近年、記録メディアの大容量化の要求が高まってきており、光ディスクにおいても記録密度を高めるために、トラックピッチを狭めたり記録ピットの最短長を短くする等の方法が提案されている。
【０００３】
ここで、コンパクトディスクの規格を満たす光ディスク、例えばＩＳＯ／ＩＥＣ１３４９０−１で規格化されている追記型の光ディスク（ＣＤ−Ｒ）、あるいは書換可能型の光ディスク（ＣＤ−ＲＷ）等についても、より多くのデータを記録することができるように、記録容量の大容量化が望まれている。
【０００４】
【発明が解決しようとする課題】
ところで、このように追記型や書換可能型の光ディスクで記録容量の大容量化が図られた場合、信号の記録再生を行う光ディスク装置では、フォーマットおよび／または記録方式を異なるものとして記録容量の大容量化が図られた光ディスク（以下「高密度光ディスク」という）であるか、従来の記録容量である光ディスク（以下「標準密度光ディスク」という）であるかを速やかに簡単に判別できなければ、それぞれのディスクに応じた記録再生動作を行うことができない。例えば、ディスクに記録されているデータを復調する前に、高密度光ディスクであるか否かを判別することができないと、高密度光ディスクに特有な処理や専用のハードウェアが必要であるか否かも判別できないので、煩雑なディスク判別処理が必要となってしまう。
【０００５】
また、データの記録が行われていない光ディスク（ブランクディスク）では、記録されているデータを利用してディスク判別を行うことができないことから、予め光ディスクでディスク判別を可能とする情報が必要とされる。
【０００６】
そこで、この発明ではフォーマットおよび／または記録方式が異なる光ディスクであるか否かの判別を容易に行うことができる光ディスク及び光ディスク装置を提供するものである。
【０００７】
【課題を解決するための手段】
この発明に係る光ディスクは、光スポットの案内溝に埋め込まれている位置情報を読み出して得られる同期信号のパターンが第１のパターンとされた記録可能な光ディスクよりも記録密度の高い光ディスクにおいて、光スポットの案内溝に埋め込まれている位置情報を読み出して得られる同期信号のパターンに第１のパターンと該第１のパターンとは異なる第２のパターンを設けて、該第２のパターンで連続する複数フレームの期間を識別可能とし、該複数フレームの期間で１つの位置情報を示すものとしたものである。
【０００８】
また光ディスク装置は、光スポットの案内溝に位置情報が埋め込まれていると共に、該位置情報を読み出すことで同期信号が得られる記録可能な光ディスクを用いる光ディスク装置において、位置情報を読み出す位置情報読出手段と、位置情報読出手段で得られた信号から光スポットの照射位置を判別する位置判別手段と、位置情報読出手段で得られた信号の同期パターンを判別して、光ディスクの識別を行う識別手段とを有し、識別手段は、同期信号のパターンが第１のパターンであるとき、所定の記録密度の光ディスクと判別とし、同期信号のパターンが第１のパターンと該第１のパターンとは異なる第２のパターンで構成されているとき、所定の記録密度の光ディスクよりも記録密度の高い光ディスクと判別し、位置判別手段は、複数フレームの期間で示される１つの位置情報に基づいて、記録密度の高い光ディスクにおける光スポットの照射位置を判別するものである。
【０００９】
この発明においては、光スポットの案内溝に位置情報として、例えばウォーブルが形成される。このウォーブルのウォーブル成分を取り出すことにより得られたウォーブル信号の同期パターンが、標準密度と高密度の光ディスクとで異なるパターンとなるように光ディスクが形成される。ここで、同期パターンは、例えば位置情報を読み出して得られる信号がバイフェーズ変調された信号であるときには、信号の最小チャネルビットを「Ｔ」としたときに、「３Ｔ」以上のパターンを有するように設定される。また、ＤＳＶ値が「０」となるように設定される。
【００１０】
このように形成された光ディスクを用いる光ディスク装置では、同期パターンを判別して判別結果に基づき、標準密度の光ディスクであるか高密度の光ディスクであるかを識別し、識別結果に基づいて信号の記録再生処理が行われる。
【００１１】
【発明の実施の形態】
続いて、この発明について図を参照して詳細に説明する。図１はコンパクトディスクの規格の追記型あるいは書換可能型の光ディスク（ＣＤ−Ｒ，ＣＤ−ＲＷ）１０の構成の一部を示しており、レーザ光の照射面側には、図１Ａに示すようにレーザ光の光スポットの案内溝であるプリグルーブＰＧが形成されている。なお、２つのプリグルーブＰＧ間をランドＬＡとする。プリグルーブＰＧの両側面は、図１Ｂに示すように僅かに正弦波状にウォーブル（蛇行）されている。このウォーブル成分を取り出したウォーブル信号ＳWBは、ＦＭ変調がかかっており、位置情報すなわちディスク上の絶対位置を示す時間軸情報やレーザ光の最適記録パワーの推奨値等がエンコードされている。
【００１２】
ウォーブル信号ＳWBは、ディスクが標準速度（線速１．２ｍ／ｓ〜１．４ｍ／ｓ）で回転されたときに、中心周波数が例えば２２．０５ｋＨｚとなるように形成されている。ここで、時間軸情報としてのＡＴＩＰ(Absolute Time In Pregroove)信号の１セクタは、信号記録後の１データセクタ（２３５２バイト）と一致しており、ＡＴＩＰのセクタに対してデータセクタの同期を取りながらデータの書き込みが行われる。
【００１３】
図２はＡＴＩＰ情報のフレーム構造を示している。最初の４ビットはＡＴＩＰ同期信号ＳＹＮＣであり、ディスク上の絶対時間を示す「分」，「秒」，「フレーム」がそれぞれ「２ Digit BCD」(8ビット)で示される。さらに１４ビットのＣＲＣ(Cyclic Redundancy Code)が付加されて４２ビットで１フレームが構成される。なお、レーザ光の最適記録パワー推奨値等の情報は、時間軸情報にある割合で含まれるように多重される。
【００１４】
図３は、記録容量が大容量化されていない光ディスク（標準密度光ディスク）のＡＴＩＰ情報の同期信号ＳＹＮＣのパターン（以下「ＡＴＩＰ情報の同期パターン」という）を示しており、図３Ａに示すＡＴＩＰ情報がバイフェーズマーク変調されて図３Ｂあるいは図３Ｄに示すチャネルビットパターンとなる。ここでＡＴＩＰ同期信号ＳＹＮＣは、前のチャネルビットが「０」であるときには図３Ｂに示すように「１１１０１０００」のチャンネルビットパターンとされて、バイフェーズマーク変調後のバイフェーズ信号ＤBPは図３Ｃに示す波形とされる。また前のチャネルビットが「１」であるときには図３Ｄに示すように「０００１０１１１」のチャンネルビットパターンとされて、バイフェーズ信号ＤBPは図３Ｅに示す波形とされる。
【００１５】
このようにしてバイフェーズ信号ＤBPが得られると、図４に示すようにバイフェーズ信号ＤBPがＦＭ変調されてウォーブル信号ＳWBが生成される。例えば図４Ａに示すバイフェーズ信号ＤBPがハイレベル「Ｈ」とされているときには図４Ｂに示すように２３．０５ｋＨｚ、ローレベル「Ｌ」とされているときには２１．０５ｋＨｚとなるようＦＭ変調されて、中心周波数が２２．０５ｋＨｚのウォーブル信号ＳWBが生成される。
【００１６】
ここで、フォーマットおよび／または記録方式を異なるものとして記録容量の大容量化が図られた高密度光ディスクでは、ＡＴＩＰ情報の同期パターンを図３Ｂあるいは図３Ｄとは異なるパターンとする。このようにすれば、データの書き込みが行われていない光ディスクであっても、ウォーブル信号ＳWBを得てＡＴＩＰ情報の同期パターンを判別することで標準密度光ディスクであるか、記録容量の大容量化が図られた高密度光ディスクであるかを容易に判別することができる。
【００１７】
高密度光ディスクのＡＴＩＰ情報の同期パターンとしては、「分」，「秒」，「フレーム」，「ＣＲＣ」のデータ系列で出現しにくいパターン、ここでは、時間軸情報がバイフェーズマーク変調されており、最小チャネルビット間隔を「Ｔ」とすると、バイフェーズマーク変調後の信号は、「Ｔ」あるいは「２Ｔ」のパターンで構成されることから、「３Ｔ」以上のパターンを用いるものとする。また、バイフェーズマーク変調信号のハイレベル「Ｈ」の波形とローレベル「Ｌ」の波形が均一に分散されて、ＤＳＶ(Digital Sum Value)、すなわちハイレベル「Ｈ」のときの値を「１」とし、ローレベル「Ｌ」のときの値を「−１」としたときの積算値が「０」に近づいたＤＣバランスの良好なパターンが望ましい。
【００１８】
このような条件を満たすＡＴＩＰ情報の同期パターンとしては、３Ｔ波形と逆極性の３Ｔ波形が接続されたパターンを、ＡＴＩＰ同期信号の先頭側に設けたり、中央部分に設けたり、あるいは後端側に設けることで、ＤＣバランスの良いパターンを形成できる。
【００１９】
図５は、３Ｔ波形と逆極性の３Ｔ波形が接続されたパターンを、ＡＴＩＰ同期信号の先頭側に設けた場合を示しており、図３と同様に図５Ａに示すＡＴＩＰ情報をバイフェーズマーク変調すると図５Ｂに示すチャネルビットパターンとなり、このチャネルビットパターンに基づき図５Ｃに示す波形のバイフェーズ信号ＤBPが生成される。ここで、信号波形がハイレベル「Ｈ」のときの値を「１」とし、ローレベル「Ｌ」のときの値を「−１」とすると、ＡＴＩＰ同期信号の波形はハイレベル「Ｈ」の期間が４Ｔでローレベル「Ｌ」の期間が４Ｔであることから、ＤＳＶ(Digital Sum Value)が「０」となり、ＤＣバランスが良好なものとなる。なお、図５Ｂ，ＣはＡＴＩＰ同期信号ＳＹＮＣの前のチャネルビットが「０」の場合を示しており、前のチャネルビットが「１」の場合には、図５Ｄ，Ｅのようになる。
【００２０】
同様に図６は３Ｔ波形と逆極性の３Ｔ波形が接続されたパターンを、ＡＴＩＰ情報の同期パターンの中央に設けた場合を示しており、図７は３Ｔ波形と逆極性の３Ｔ波形が接続されたパターンを、ＡＴＩＰ情報の同期パターンの後端側に設けた場合を示している。
【００２１】
また、図８に示すように、４Ｔ波形と逆極性の４Ｔ波形が接続されたパターンを、ＡＴＩＰ情報の同期パターンとして用いることもできる。この場合にも、ＤＳＶ(Digital Sum Value)が「０」となり、ＤＣバランスが良好なものとなる。
【００２２】
ところで、「分」，「秒」，「フレーム」をそれぞれ「２ Digit BCD」で表す方法では、「９９分５９秒７４フレーム」までしか表現できない。このため、記録容量の大容量化が図られている高密度光ディスクでは、「９９分５９秒７４フレーム」を超えた位置を表現できるような情報が必要とされる場合がある。このため、例えば図９に示すように、２８ビットを物理フレーム番号（ＰＦＮ：Physical Frame Number）の領域とすると共に１０ビットをＣＲＣの領域とすることで、高密度光ディスクであってもウォーブルを用いてディスク上の絶対位置を示すことができる。
【００２３】
さらに、図１０に示すように例えば物理フレーム番号領域を２４ビットとして残りの１４ビットをＥＣＣ(Error Correcting Code)領域として用いることもできる。この場合、例えばＥＣＣを用いたときに、標準密度光ディスクのＡＴＩＰ情報の同期パターンと異なる所定の同期パターンとすることで、ＡＴＩＰ情報の同期パターンを判別して高密度光ディスクであるか標準密度光ディスクであるかを判別できると共に、ＣＲＣあるいはＥＣＣの何れが記録されているかも判別することができる。
【００２４】
さらに、上述の場合には、１つの位置情報を１フレーム分のＡＴＩＰ情報で示すものとしたが、１つの位置情報を複数フレーム分のＡＴＩＰ情報で示すこともできる。図１１は、２フレーム分のＡＴＩＰ情報で１つの位置情報を示す場合を示しており、１フレーム目及び２フレーム目の同期パターンの少なくとも一方を、標準密度光ディスクの同期パターンと異なるパターンとすると共に、１フレーム目と２フレーム目の同期パターンは異なるパターン（逆極性を除く）とする。また、標準密度光ディスクと異なる同期パターンとしては、例えば上述の図５〜図７で示した３Ｔ波形と逆極性の３Ｔ波形が接続されたパターンや図８で示した４Ｔ波形と逆極性の４Ｔ波形が接続されたパターンを用いるものとする。
【００２５】
ここで、図１１に示すように１フレーム目の同期パターンを例えばチャンネルビットパターン「１１１１００００」とすると共に２フレーム目のＡＴＩＰ同期信号のチャネルビットパターンを「１１１０１０００」とすれば、「１１１１００００」のチャネルビットパターンが標準密度光ディスクのＡＴＩＰ同期信号のチャネルビットパターン「１１１０１０００」あるいは「０００１０１１１」と異なることから、高密度光ディスクであることを判別することができる。また、１フレーム目及び２フレーム目の同期パターンが異なることから、２つのフレームの情報Ｍ1，Ｍ2で１つの位置情報が示されていることを判別することができる。
【００２６】
以上のように、ＡＴＩＰ情報の同期パターンを異なるものとすることで、標準密度光ディスクであるか高密度光ディスクであるかを容易に判別することができる。また、標準密度光ディスクとは異なるパターンとすることで、ＡＴＩＰ同期信号以降のビットによって、「２ Digit BCD」でディスク上の絶対時間を「分」，「秒」，「フレーム」を示す方法とは異なる方法で、高密度光ディスク上の位置を拡張表示することもできる。
【００２７】
次に、上述の光ディスク１０を用いる光ディスク装置の構成について図１２を用いて説明する。光ディスク１０はスピンドルモータ部２２によって、所定の速度で回転される。なお、スピンドルモータ部２２は、後述するスピンドルモータ駆動部２３からのスピンドル駆動信号ＳSDによって、光ディスク１０の回転速度が所定の速度となるように駆動される。
【００２８】
光ディスク１０には、光ディスク装置２０の光ピックアップ３０から光量をコントロールされたレーザ光が照射される。光ディスク１０で反射されたレーザ光は、光ピックアップ３０の光検出部（図示せず）に照射される。光検出部は、分割光検出器等を用いて構成されており、光電変換及び電流電圧変換によって反射光に応じた電圧信号を生成してＲＦアンプ部３２に供給する。
【００２９】
ＲＦアンプ部３２では、光ピックアップ３０からの電圧信号に基づいて読出信号ＳRF、フォーカス誤差信号ＳFE、トラッキング誤差信号ＳTE、ウォーブル信号ＳWBを生成する。このＲＦアンプ部３２で生成された読出信号ＳRFやトラッキング誤差信号ＳTE，フォーカス誤差信号ＳFEは、クロック生成／サーボ制御部３３に供給される。また、ウォーブル信号ＳWBは、ＡＴＩＰデコーダ３４に供給される。
【００３０】
クロック生成／サーボ制御部３３では、供給されたフォーカス誤差信号ＳFEに基づき、レーザ光の焦点位置が光ディスク１０の記録層の位置となるように光ピックアップ３０の対物レンズ（図示せず）を制御するためのフォーカス制御信号ＳFCを生成してドライバ３５に供給する。また、供給されたトラッキング誤差信号ＳTEに基づき、レーザ光の照射位置が所望のトラックの中央位置となるように光ピックアップ３０の対物レンズを制御するためのトラッキング制御信号ＳTCを生成してドライバ３５に供給する。
【００３１】
ドライバ３５では、フォーカス制御信号ＳFCに基づいてフォーカス駆動信号ＳFDを生成すると共に、トラッキング制御信号ＳTCに基づいてトラッキング駆動信号ＳTDを生成する。この生成されたフォーカス駆動信号ＳFD及びトラッキング駆動信号ＳTDを光ピックアップ３０のアクチュエータ（図示せず）に供給することにより対物レンズの位置が制御されて、レーザ光が所望のトラックの中央位置で焦点を結ぶように制御される。
【００３２】
また、クロック生成／サーボ制御部３３では、供給された読出信号ＳRFのアシンメトリ補正及び２値化を行いディジタル信号に変換して、読出データ信号ＤRFとしてデータ処理部４０に供給する。また、変換して得られたディジタル信号に同期するクロック信号ＣＫRFの生成も行い、生成したクロック信号ＣＫRFもデータ処理部４０に供給する。
【００３３】
さらに、クロック生成／サーボ制御部３３では、レーザ光の照射位置がトラッキング制御範囲を超えないように、光ピックアップ３０を光ディスク１０の径方向に移動させるためのスレッド制御信号ＳSCを生成してスレッド部３６に供給する。スレッド部３６では、このスレッド制御信号ＳSCに基づきスレッドモータ（図示せず）を駆動して光ピックアップ３０を光ディスク１０の径方向に移動させる。
【００３４】
ウォーブル信号ＳWBが供給されるＡＴＩＰデコーダ３４は、図１３に示す構成とされている。ウォーブル信号ＳWBはＡＴＩＰデコーダ３４の帯域フィルタ３４１に供給される。この帯域フィルタ３４１によって、ウォーブル成分を取り出すように帯域制限されたウォーブル信号ＳWBは、波形整形部３４２に供給される。
【００３５】
波形整形部３４２では、ウォーブル信号ＳWBの２値化を行う。２値化されたウォーブル信号である信号ＤWBは検波部３４３に供給される。
【００３６】
検波部３４３では信号ＤWBの復調処理を行い、バイフェーズ信号ＤBPを生成すると共にバイフェーズ信号ＤBPに同期したクロック信号ＣＫBPを生成する。この生成されたバイフェーズ信号ＤBP及びクロック信号ＣＫBPはアドレスデコード部３４４に供給される。
【００３７】
アドレスデコード部３４４では、クロック信号ＣＫBPを用いてバイフェーズ信号ＤBPの復調処理を行いＡＴＩＰ情報信号ＤADを生成する。また、得られたＡＴＩＰ情報信号ＤADの同期信号のパターンを検出してＡＴＩＰ同期検出信号ＦＳＹを生成する。このＡＴＩＰ情報信号ＤADは、制御部５０に供給されると共に、ＡＴＩＰ同期検出信号ＦＳＹおよびバイオフェース信号ＤBPに同期したクロック信号ＣＫBPはスピンドルモータ駆動部２３に供給される。
【００３８】
データ処理部４０では、読出データ信号ＤRFをＥＦＭ復調すると共にＲＡＭ４１を用いてデインタリーブ処理やＣＩＲＣ(Cross Interleave Reed-Solomon Code)による誤り訂正処理を行う。さらに、デスクランブル処理やＥＣＣ(Error Correcting Code)による誤り訂正処理等も行う。ここで誤り訂正処理がなされたデータ信号は、バッファメモリとしてのＲＡＭ４２に蓄えられたのち、再生データ信号ＲＤとしてインタフェース４３を介して外部のコンピュータ装置等に供給される。
【００３９】
また、データ処理部４０では、ＥＦＭ復調後の信号からサブコードを取り出して信号ＤSQとして制御部５０に供給すると共に、ＥＦＭ復調後の信号のフレーム同期信号ＦＳＺを検出してスピンドルモータ駆動部２３に供給する。
【００４０】
このスピンドルモータ駆動部２３では、光ディスク１０への信号記録時にはＡＴＩＰデコーダ３４からのＡＴＩＰ同期検出信号ＦＳＹおよびバイオフェース信号ＤBPに同期したクロック信号ＣＫBPを用いるものとし、光ディスク１０に記録されている信号の再生時には、データ処理部４０からのフレーム同期信号ＦＳＺを用いて、光ディスク１０を所望の速度で回転させるためのスピンドル駆動信号ＳSDPを生成する。このスピンドルモータ駆動部２３で生成されたスピンドル駆動信号ＳSDをスピンドルモータ部２２に供給することにより、光ディスク１０が所望の速度で回転される。
【００４１】
さらに、データ処理部４０では、外部のコンピュータ装置からインタフェース４３を介して記録データ信号ＷＤが供給されたときには、この記録データ信号ＷＤをＲＡＭ４２に一時蓄えると共に、この蓄えられた記録データ信号ＷＤを読み出して所定のセクタフォーマットにエンコードすると共に誤り訂正用のＥＣＣの付加を行う。さらにＣＩＲＣエンコード処理やＥＦＭ変調等も行い書込信号ＤWを生成して書込補償部３７に供給する。
【００４２】
書込補償部３７では、供給された書込信号ＤWに基づいてレーザ駆動信号ＬＤＡを生成して光ピックアップ３０のレーザダイオードに供給する。ここで、書込補償部３７では、後述する制御部５０からのパワー補償信号ＰCに基づき、光ディスク１０の記録層の特性やレーザ光のスポット形状、記録線速度等に応じてレーザ駆動信号ＬＤＡの信号レベルが補正されて、光ピックアップ３１のレーザダイオードから出力されるレーザ光のパワーが最適化されて信号の記録動作が行われる。
【００４３】
制御部５０にはＲＯＭ５１が接続されており、ＲＯＭ５１に記憶されている動作制御用プログラムに基づいて光ディスク装置２０の動作を制御する。例えば、ＡＴＩＰデコーダ３４からのＡＴＩＰ情報信号ＤADの同期パターンから光ディスクが高密度光ディスクであるか標準密度光ディスクであるかを識別すると共に、このディスク識別結果やデータ処理部４０で生成されたサブコード等の信号ＤSQあるいはＡＴＩＰデコーダ３４からのＡＴＩＰ情報信号ＤADで示された記録再生位置の判別結果に基づいて、クロック生成／サーボ制御部３３に制御信号ＣＴＡやデータ処理部４０に制御信号ＣＴＢ等を供給して、標準密度光ディスクあるいは高密度光ディスクに応じたデータの記録再生動作を行う。また、ＡＴＩＰ情報信号ＤADで示されている記録レーザパワーの設定情報に基づいてパワー補償信号ＰCを生成して書込補償部３７に供給する。なお、制御部５０からＲＦアンプ部３２に制御信号ＣＴＣを供給して、ＲＦアンプ部３２によって、光ピックアップ３０のレーザダイオードのオンオフ制御、レーザノイズや読出信号への外乱を低減するためにレーザ光に高周波を重畳させる処理等も行われる。
【００４４】
ここで、図１に示す光ディスク１０を用いて光ディスク装置２０で信号の記録を行う場合には、ウォーブルを検出してＡＴＩＰ情報の同期パターンを判別して光ディスクの識別を行う。この識別結果に基づきＡＴＩＰ情報から光ディスク上の位置の判別が行われて、所望の位置から信号の書き込みを行うことができる。
【００４５】
また、光ディスク１０に記録された信号を再生する場合には、読出信号ＳRFに基づいて光ディスク１０の回転制御が行われる。また、読出信号ＳRFに基づいて生成されたサブコードの信号ＤSQに基づいて再生位置を判別することができるので、この再生位置情報を利用して所望のデータを読み出すことができる。また、ＡＴＩＰ情報に基づき光ディスクの識別及び信号読み出し位置の判別を行い、ディスクの識別結果や位置の判別結果に基づいて各部を制御することにより、所望の位置から信号を読み出すこともできる。
【００４６】
なお、上述の同期パターンやＥＣＣを設けたＡＴＩＰ情報のフレーム構造等は例示的なものであって限定的なものでない。また、上述の実施の形態では、フォーマットおよび／または記録方式の異なる光ディスクの判別として、高密度光ディスクであるか標準密度光ディスクであるかを判別するものとしたが、光ディスクの判別は記録容量に限られるものでないことは勿論である。
【００４７】
【発明の効果】
この発明によれば、光スポットの案内溝に埋め込まれている位置情報に基づく同期パターンがフォーマットおよび／または記録方式の異なる光ディスク間で異なるように形成されているので、位置情報の読み出しを行って得られた信号の同期パターンを判別することで、光ディスクが例えば標準密度であるか高密度であるかを簡単かつ速やかに識別することが可能となり、それぞれのディスクに応じた記録再生動作を行うことができる。また、データの記録が行われていない光ディスクであってもディスクの識別を行うことができる。
【００４８】
また、同期パターンは、位置情報を読み出して得られる信号の最小チャネルビットを「Ｔ」としたときに、「３Ｔ」以上のパターンを有するものとされる。このため、位置情報がバイフェーズ変調されているときには、位置情報が「１Ｔ」「２Ｔ」のパターンで構成されることから同期パターンを容易に検出することができる。さらに、ＤＳＶ値が「０」となるように設定されるので、同期パターンのＤＣバランスが良好とされて、正しく情報を読み出すことができる。また、位置情報が同期パターンに応じた表示形式に設定されるので、標準密度の光ディスクでの表示形式によって示すことができない位置を、同期パターンが異なる高密度ディスクでは示すことができる。
【図面の簡単な説明】
【図１】光ディスクの構成を示す図である。
【図２】ＡＴＩＰ情報のフレーム構造を示す図である。
【図３】標準密度光ディスクの場合のＡＴＩＰ情報とバイフェーズ信号を示す図である。
【図４】バイフェーズ信号とウォーブル信号の関係を示す図である。
【図５】高密度光ディスクの場合のＡＴＩＰ情報とバイフェーズ信号を示す図である。
【図６】高密度光ディスクの場合のＡＴＩＰ情報と他のバイフェーズ信号を示す図である。
【図７】高密度光ディスクの場合のＡＴＩＰ情報と他のバイフェーズ信号を示す図である。
【図８】高密度光ディスクの場合のＡＴＩＰ情報と他のバイフェーズ信号を示す図である。
【図９】ＡＴＩＰ情報の他のフレーム構造を示す図である。
【図１０】ＡＴＩＰ情報の他のフレーム構造を示す図である。
【図１１】ＡＴＩＰ情報の他のフレーム構造を示す図である。
【図１２】光ディスク装置の構成を示す図である。
【図１３】ＡＴＩＰデコーダの構成を示す図である。
【符号の説明】
１０・・・光ディスク、２０・・・光ディスク装置、２２・・・スピンドルモータ部、２３・・・スピンドルモータ駆動部、３０・・・光ピックアップ、３２・・・ＲＦアンプ部、３３・・・クロック生成／サーボ制御部、３４・・・ＡＴＩＰデコーダ、３５・・・ドライバ、３６・・・スレッド部、３７・・・書込補償部、４０・・・データ処理部、４１，４２・・・ＲＡＭ、４３・・・インタフェース、５０・・・制御部、３４１・・・帯域フィルタ、３４２・・・波形整形部、３４３・・・検波部、３４４・・・アドレスデコード部
【図１】
0004099914.tif 000002
【図２】
0004099914.tif 000003
【図３】
0004099914.tif 000004
【図４】
0004099914.tif 000005
【図５】
0004099914.tif 000006
【図６】
0004099914.tif 000007
【図７】
0004099914.tif 000008
【図８】
0004099914.tif 000009
【図９】
0004099914.tif 000010
【図１０】
0004099914.tif 000011
【図１１】
0004099914.tif 000012
【図１２】
0004099914.tif 000013
【図１３】
0004099914.tif 000014